(57)【要約】【課題】画像計測における位置の特定をより簡便な方法で行う。【解決手段】圃場を上空から撮影した撮影画像の画像データを受け付ける画像データ受付部１０１と、前記圃場における特定の経路に沿って移動しつつ受信した航法衛星からの航法信号に基づき測定した位置データを受け付ける位置データ受付部１０２と、前記画像データから前記特定の経路の形状を検出する形状データ１検出部１０３と、前記形状データ検出部１０３が検出した前記経路の形状と前記位置データとの対応関係を特定する対応関係特定部１０５と、前記対応関係特定部１０５が特定した対応関係に基づき、前記撮影画像に写った前記圃場の位置を特定する圃場の位置特定部１０６を備える。【選択図】図３
2018100930.tif 000002
【特許請求の範囲】
【請求項１】
圃場を上空から撮影した撮影画像の画像データを受け付ける画像データ受付部と、
前記圃場における特定の経路に沿って移動しつつ受信した航法衛星からの航法信号に基づき測定した位置データを受け付ける位置データ受付部と、
前記画像データから前記特定の経路の形状を検出する経路検出部と、
前記経路検出部が検出した前記経路の形状と前記位置データとの対応関係を特定する対応関係特定部と、
前記対応関係特定部が特定した対応関係に基づき、前記撮影画像に写った前記圃場の位置を特定する圃場の位置特定部と
を備える位置特定装置。
【請求項２】
前記位置データは、航法衛星からの航法信号に基づく位置の測定を行う位置測定装置を備えた移動体を移動させることで得たものであり、
前記経路検出部は、前記移動体が地上に残した移動の痕跡を検出する請求項１に記載の位置特定装置。
【請求項３】
前記対応関係が、画像から検出した圃場の状態と予め取得しておいた圃場の状態との対応関係に基づき特定される請求項１または２に記載の位置特定装置。
【請求項４】
前記圃場の状態が、場所毎に異なる農産物の育成状態の違いの情報を含む請求項３に記載の位置特定装置。
【請求項５】
圃場を上空から撮影した撮影画像の画像データを受け付ける画像データ受付部と、
予め取得された前記圃場の土壌および植生の状態の少なくとも一方および前記圃場の位置データを関連付けさせたデータを記憶した圃場状態データ記憶部と、
前記撮影画像の表面特徴データから前記圃場の土壌あるいは植生の状態を検出する圃場状態検出部と、
前記圃場状態データ記憶部に記憶されたデータと、前記圃場状態検出部が検出した前記圃場の土壌および植生の状態の少なくとも一方のデータとの対応関係を求める対応関係特定部と、
前記対応関係特定部が特定した前記対応関係に基づき、上空から撮影された前記圃場の位置を特定する圃場位置特定部と
を備える位置特定装置。
【請求項６】
前記表面特徴データとして、波長スペクトルデータ、色、質感、模様のデータの一または複数が含まれる請求項５に記載の位置特定装置。
【請求項７】
前記圃場は、場所により異なる状態を有する複数の部分を有し、
前記圃場状態データ記憶部は、前記複数の部分の組み合わせを記憶し、
前記圃場状態検出部は、前記画像データに基づき、前記複数の部分の組み合わせを検出し、
前記対応関係特定部は、前記圃場状態データ記憶部に記憶された前記組み合わせと、前記圃場状態検出部が検出した前記組み合わせとの対応関係の特定を行う請求項５または６に記載の位置特定装置。
【請求項８】
前記複数の部分には、異なる複数の植生の部分が含まれ、
前記圃場状態検出部は、前記撮影画像における前記異なる複数の植生の部分の前記表面特徴データに基づき、前記異なる複数の植生に対応した当該圃場の識別情報を検出する請求項５〜７のいずれか一項に記載の位置特定装置。
【請求項９】
圃場を上空から撮影した撮影画像の画像データを受け付ける画像データ受付ステップと、
前記圃場における特定の経路に沿って移動しつつ受信した航法衛星からの航法信号に基づき測定した位置データを受け付ける位置データ受付ステップと、
前記画像データから前記特定の経路の形状を検出する経路検出ステップと、
前記経路検出ステップで検出した前記経路の形状と前記位置データとの対応関係を特定する対応関係特定ステップと、
前記対応関係特定ステップで特定した対応関係に基づき、前記撮影画像に写った前記圃場の位置を特定する圃場の位置特定ステップと
を備えることを特徴とする位置特定方法。
【請求項１０】
コンピュータに読み取らせて実行させるプログラムであって、
コンピュータを
圃場を上空から撮影した撮影画像の画像データを受け付ける画像データ受付部と、
前記圃場における特定の経路に沿って移動しつつ受信した航法衛星からの航法信号に基づき測定した位置データを受け付ける位置データ受付部と、
前記画像データから前記特定の経路の形状を検出する経路検出部と、
前記経路検出部が検出した前記経路の形状と前記位置データとの対応関係を特定する対応関係特定部と、
前記対応関係特定部が特定した対応関係に基づき、前記撮影画像に写った前記圃場の位置を特定する圃場の位置特定部と
として機能させるプログラム。
【発明の詳細な説明】
【技術分野】
【０００１】
本発明は、画像計測の技術に関する。
【背景技術】
【０００２】
農地の画像計測を行う技術が知られている（例えば、特許文献１を参照）。この技術では、航空機を用いて上空からの農地を写真撮影する。航空写真を用いた画像計測では、オルソ補正が必要である。オルソ補正を行うには、航空写真から認識し易い部分（例えば、道路の縁石や白線、マンホール等）やターゲットの位置のデータが必要である。
【先行技術文献】
【特許文献】
【０００３】
【特許文献１】特開２０１４−０８９１６０号公報
【発明の概要】
【発明が解決しようとする課題】
【０００４】
上述した航空写真の撮影に先立ち行われる測量は、手間がかかり、実用的でない。このような背景において、本発明は、航空画像計測における位置の特定をより簡便な方法で行う技術の提供を目的とする。
【課題を解決するための手段】
【０００５】
請求項１に記載の発明は、圃場を上空から撮影した撮影画像の画像データを受け付ける画像データ受付部と、前記圃場における特定の経路に沿って移動しつつ受信した航法衛星からの航法信号に基づき測定した位置データを受け付ける位置データ受付部と、前記画像データから前記特定の経路の形状を検出する経路検出部と、前記経路検出部が検出した前記経路の形状と前記位置データとの対応関係を特定する対応関係特定部と、前記対応関係特定部が特定した対応関係に基づき、前記撮影画像に写った前記圃場の位置を特定する圃場の位置特定部とを備えることを特徴とする位置特定装置である。
【０００６】
請求項２に記載の発明は、請求項１に記載の発明において、前記位置データは、航法衛星からの航法信号に基づく位置の測定を行う位置測定装置を備えた移動体を移動させることで得たものであり、前記経路検出部は、前記移動体が地上に残した移動の痕跡を検出すること特徴とする。
【０００７】
請求項３に記載の発明は請求項１または２に記載の発明において、前記対応関係が、画像から検出した圃場の状態と予め取得しておいた圃場の状態との対応関係に基づき特定されることを特徴とする。請求項４に記載の発明は、請求項３に記載の発明において、前記圃場の状態が、場所毎に異なる農産物の育成状態の違いの情報を含むことを特徴とする。
【０００８】
請求項５に記載の発明は、圃場を上空から撮影した撮影画像の画像データを受け付ける画像データ受付部と、予め取得された前記圃場の土壌および植生の状態の少なくとも一方および前記圃場の位置データを関連付けさせたデータを記憶した圃場状態データ記憶部と、前記撮影画像の表面特徴データから前記圃場の土壌あるいは植生の状態を検出する圃場状態検出部と、前記圃場状態データ記憶部に記憶されたデータと、前記圃場状態検出部が検出した前記圃場の土壌および植生の状態の少なくとも一方のデータとの対応関係を求める対応関係特定部と、前記対応関係特定部が特定した前記対応関係に基づき、上空から撮影された前記圃場の位置を特定する圃場位置特定部とを備える位置特定装置である。
【０００９】
請求項６に記載の発明は、請求項５に記載の発明において、前記表面特徴データとして、波長スペクトルデータ、色、質感、模様のデータの一または複数が含まれることを特徴とする。
【００１０】
請求項７に記載の発明は、請求項５または６に記載の発明において、前記圃場は、場所により異なる状態を有する複数の部分を有し、前記圃場状態データ記憶部は、前記複数の部分の組み合わせを記憶し、前記圃場状態検出部は、前記画像データに基づき、前記複数の部分の組み合わせを検出し、前記対応関係特定部は、前記圃場状態データ記憶部に記憶された前記組み合わせと、前記圃場状態検出部が検出した前記組み合わせとの対応関係の特定を行うことを特徴とする。
【００１１】
請求項８に記載の発明は、請求項５〜７のいずれか一項に記載の発明において、前記複数の部分には、異なる複数の植生の部分が含まれ、前記圃場状態検出部は、前記撮影画像における前記異なる複数の植生の部分の前記表面特徴データに基づき、前記異なる複数の植生に対応した当該圃場の識別情報を検出することを特徴とする。
【００１２】
請求項９に記載の発明は、圃場を上空から撮影した撮影画像の画像データを受け付ける画像データ受付ステップと、前記圃場における特定の経路に沿って移動しつつ受信した航法衛星からの航法信号に基づき測定した位置データを受け付ける位置データ受付ステップと、前記画像データから前記特定の経路の形状を検出する経路検出ステップと、前記経路検出ステップで検出した前記経路の形状と前記位置データとの対応関係を特定する対応関係特定ステップと、前記対応関係特定ステップで特定した対応関係に基づき、前記撮影画像に写った前記圃場の位置を特定する圃場の位置特定ステップとを備えることを特徴とする位置特定方法である。
【００１３】
請求項１０に記載の発明は、コンピュータに読み取らせて実行させるプログラムであって、コンピュータを圃場を上空から撮影した撮影画像の画像データを受け付ける画像データ受付部と、前記圃場における特定の経路に沿って移動しつつ受信した航法衛星からの航法信号に基づき測定した位置データを受け付ける位置データ受付部と、前記画像データから前記特定の経路の形状を検出する経路検出部と、前記経路検出部が検出した前記経路の形状と前記位置データとの対応関係を特定する対応関係特定部と、前記対応関係特定部が特定した対応関係に基づき、前記撮影画像に写った前記圃場の位置を特定する圃場の位置特定部として機能させるプログラムである。
【発明の効果】
【００１４】
本発明によれば、航空画像計測における位置の特定をより簡便に行うことが可能となる。
【図面の簡単な説明】
【００１５】
【図１】実施形態の概念図である。
【図２】実施形態の概念図である。
【図３】位置特定装置のブロック図である。
【図４】処理の一例を示すフローチャートである。
【図５】位置特定装置のブロック図である。
【図６】処理の一例を示すフローチャートである。
【図７】圃場の状態の一例を示す概念図である。
【発明を実施するための形態】
【００１６】
（はじめに）
本実施形態では、農地の航空写真と当該農地の区画された部分（以下圃場と記載）の座標データ（経緯度および標高のデータ）との対応関係を取得する技術について説明する。ここでいう農地（圃場）には、農作物を植える前および後（農産物を育成中）の段階のものが含まれる。航空写真を撮影する航空機としては、空中から写真撮影を行える性能を有するものであれば特に限定されない。
【００１７】
航空機としては、例えば無人航空機（ＵＡＶ：(Unmanned aerial vehicle)）が挙げられる。無人航空機としては、無線操縦および／または自律飛行する形態のものが挙げられる。ここで用いるＵＡＶは、ＧＮＳＳ（「全地球航法衛星システム」または「汎地球航法衛星システム」（Global Navigation Satellite System））を用いた位置特定装置（所謂ＧＰＳ受信機）、ＩＭＵ（慣性航法装置）、高度計、カメラを搭載し、予め定めた経路に沿って飛行しつつの地上の撮影を行う。また、このＵＡＶは、無線操縦による飛行および撮影も行える。カメラは、静止画像の撮影を行う。撮影は、特定の時間間隔、予め決められた時刻、遠隔から指示されたタイミング、ＧＮＳＳやＩＭＵから得た情報を契機としたタイミング等で行われる。また、動画の撮影を行い、動画を構成するフレーム画像から静止画像を切り出すことで、空撮画像を得ることも可能である。
【００１８】
ＵＡＶが備えたカメラは、撮影した画像の画像データを記憶する記憶装置を備え、飛行終了後にこの記憶装置から画像データが取り出される。ＵＡＶが画像データの通信装置を備え、画像データを無線通信で出力する形態も可能である。
【００１９】
圃場の座標データの取得は、ＧＮＳＳを利用した位置測定装置を搭載した移動体を用いて行う。移動体としては、トラクターが一般的であるが、トラクター以外の自走する機械を用いることもできる。トラクターは、農業に用いる形態のものであれば特に限定されない。ＧＮＳＳ装置は、極力精度の高いものを用いるのが好ましい。
【００２０】
（概要）
図１には、複数の圃場が区画された農場を上空からＵＡＶによって空撮する様子、およびトラクターで計測の対象となる圃場の縁を移動し、その際にＧＮＳＳを利用して当該圃場の位置データを取得する様子が概念的に示されている。図１には、ロータで飛行する態様のＵＡＶが示されているが、ロータの数や飛行原理の形態は特に限定されない。
【００２１】
図２には、トラクターの移動経路に係る形状データ（第１の形状データ）と、航空写真から得られた圃場（この場合は、圃場Ａ、圃場Ｂ、圃場Ｃ）の形状データとの対応関係を探索する様子を示すイメージ図が示されている。この例では、圃場の縁をトラクターで移動することで、圃場の形状がトラクターの移動経路でトレースされる。よって、この例の場合、（トラクターの移動経路）＝（圃場の外縁の形状）＝（第１の形状データ）となる。
【００２２】
この例では、ＧＮＳＳを利用した位置測定装置を搭載したトラクター（その他、適当な自走式農耕機械）を対象となる圃場の外縁を走行させ、その際の位置データを取得する。例えば、当該圃場が矩形であれば、矩形の位置を走行した経路のデータが得られる。このトラクターの経路のデータに基づき、当該圃場の形状データ（以下、第１の形状データ）を得る。
【００２３】
上記のトラクターによる圃場の位置データの取得とは別に、ＵＡＶを用いた当該圃場の空撮を行い当該圃場の航空写真を得る。この際、対象となる圃場に狙いを定めて撮影範囲の設定を行ってもよいし、対象となる圃場を含めた隣接する複数の圃場が写るように撮影範囲の設定を行ってもよい。航空写真を得たら、それを画像解析し、写真に写った圃場の縁を検出し、その形状データ（第２の形状データ）を得る。
【００２４】
次に、図形のマッチング技術を用い、第１の形状データ（トラクターで計測した圃場の形状データ）と第２の形状データ（航空写真から得た圃場の形状データ）との対応関係を特定する。この結果、航空写真に写った圃場と、この圃場の位置データの関連付けが行われる。
【００２５】
１．第１の実施形態
（構成）
図３には、発明を利用した位置特定装置１００が示されている。位置特定装置１００は、画像データ受付部１０１、位置データ受付部１０２、形状データ１検出部１０３、経路検出部１０４、対応関係特定部１０５、圃場の位置特定部１０６を備えている。位置特定装置１００は、ＣＰＵ、記憶部、各種のインターフェースを備えたコンピュータであり、専用のハードウェアあるいはＰＣ（パーソナルコンピュータ）によって構成されている。ＰＣを用いる場合、上述した機能部の機能を実現するアプリケーションソフトウェアをインストールし、当該アプリケーションソフトウェア起動することで、ＰＣにより位置特定装置１００がソフトウェア的に実現される。
【００２６】
ＰＣを利用した場合、図３に図示する各機能部は、ソフトウェア的に構成される。なお、図１に示す各機能部の一部または全部を専用の演算回路によって構成してもよい。また、ソフトウェア的に構成された機能部と、専用の演算回路によって構成された機能部を組み合わせてもよい。例えば、図示する各機能部は、ＣＰＵ（Central Processing Unit）、ＡＳＩＣ（Application Specific Integrated Circuit）、ＦＰＧＡ（Field Programmable Gate Array）などのＰＬＤ（Programmable Logic Device）などの電子回路により構成される。また、一部の機能を専用のハードウェアで構成し、ＰＣに接続することで図３に示す装置を構成することも可能である。
【００２７】
各機能部を専用のハードウェアで構成するのか、ＣＰＵにおけるプログラムの実行によりソフトウェア的に構成するのかは、要求される演算速度、コスト、消費電力等を勘案して決定される。なお、機能部を専用のハードウェアで構成することとソフトウェア的に構成することは、特定の機能を実現するという観点からは、等価である。以上の説明は、図５の位置特定装置２００に関しても同じである。
【００２８】
画像データ受付部１０１は、圃場を上空から撮影した撮影画像の画像データを受け付ける。すなわち、カメラを搭載したＵＡＶから撮影した対象となる圃場が写った空撮画像のデータが画像データ受付部１０１によって受け付けられる。位置特定装置１００とＵＡＶ搭載のカメラとは、ＵＳＢ接続や無線ＬＡＮ回線等の適当な通信回線（通常、これらの回線はＰＣに常備されている）で接続可能であり、それらの通信回線を用いて上記空撮画像のカメラから位置特定装置１００へのデータの移動が行われる。なお、通常は、ＵＡＶの飛行後に上記のデータの移動が行われるが、飛行中における無線通信による位置特定装置１００への画像データの送信を排除するものではない。また、ＵＳＢメモリ等の記憶媒体を介したデータの移送も可能である。画像データ受付部１０１は、後述する図４のステップＳ１０３の処理を実行する。
【００２９】
位置データ受付部１０２は、ＧＮＳＳを利用した位置測定装置を搭載したトラクター等が対象となる圃場における特定の経路に沿って移動しつつ受信した航法衛星からの航法信号に基づき測定した位置データを受け付ける。例えば、ＧＮＳＳを利用した位置測定装置を搭載したトラクターを用意し、このトラクターを対象となる圃場の縁にそって一周走行させる。この走行の際に、走行しながらＧＮＳＳの航法衛星からの航法信号を受信し、位置の測定を行う。この際、当該圃場の縁にそって位置（経度・緯度・標高）の測定が行われ、地図座標系における移動経路の位置情報が得られる。この移動経路の位置情報のデータが位置データ受付部１０２で受け付けられる。なお、データをトラクター側から位置特定装置１００に送る方法は、ＵＡＶからの空撮画像の場合と同じである。位置データ受付部１０２は、後述する図４のステップＳ１０１の処理を実行する。
【００３０】
形状データ１検出部１０３は、対象となる圃場における特定の経路に沿って移動しつつ受信した航法衛星からの航法信号に基づき測定した位置データに基づき、上記移動経路の形状のデータを形状データ１として取得する。例えば、矩形の経路を移動したのであれば、矩形形状のデータが取得される。この経路としては、圃場の縁に沿ってトラクター等で移動した場合の経路が挙げられるが、必ずしもそれに限定されない。例えば、圃場中を円形、多角形、十字形状等に移動した経路も採用可能である。移動は、ＧＮＳＳを用いた位置測定装置を手に持った人が徒歩で移動する形態も可能である。形状データ１検出部１０３は、後述する図４のステップＳ１０２の処理を実行する。
【００３１】
経路検出部（形状データ２検出部）１０４は、ＵＡＶが撮影した画像データからトラクターの移動経路の形状である形状データ２を検出する。例えば、トラクターで圃場の縁を移動した場合、当該圃場の縁を空撮画像の中から検出することで、前記トラクターの移動経路の形状を形状データ２として取得する。この際、ＵＡＶの傾き（搭載したＩＭＵのデータから得られる）のデータに基づく、形状データの変形（修正）も可能である。経路検出部１０４は、後述する図４のステップＳ１０４の処理を実行する。
【００３２】
画像として検出できる経路としては、耕作地境目、畔、農道、トラクター等が走行することで生じた走行の跡や道、人が通ることで形成された道や踏み跡等が挙げられる。トラクターの移動跡としては、車輪や履帯の轍、トラクターが備えた（あるいはトラクターに接続された）農耕機材が地上に残した痕跡が挙げられる。例えば、土を耕す機械で走行しながら圃場を耕した場合、その部分の土が掘り返されるので、色が変わり、航空写真でその部分を識別できる。また、トラクターにラインひき（運動場等で白線を石灰の白線を引く機械）を装備し、移動しながら石灰によるラインを形成し、それを移動の痕跡として用いることもできる。
【００３３】
対応関係特定部１０５は、形状データ１検出部１０３が検出した形状データ１と経路検出部（形状データ２検出部）１０４が検出した形状データ２との対応関係を特定する。対応関係の特定は、公知のマッチング手法を用いて行われる。ここで用いられるマッチング手法としては、テンプレートマッチングが挙げられる。このマッチング手法には、画像認識に用いられる各種のアルゴリズムを利用することができる。対応関係特定部１０５は、後述する図４のステップＳ１０５の処理を実行する。
【００３４】
圃場の位置特定部１０６は、対応関係特定部１０５が特定した形状データ１と形状データ２の対応関係に基づき、ＵＡＶから得た空撮画像に写った対象となる圃場の位置を特定する。例えば、空撮画像に矩形の圃場が写っているとする。そして、この圃場の縁の位置をＧＮＳＳによる位置の測定が可能なトラクターで測定したとする。この場合、トラクターを用いた圃場の縁の位置の計測から形状データ１が得られ、ＵＡＶを用いた空撮画像から形状データ２が得られる。そして、トラクターの移動経路由来の形状データ１と空撮画像由来の形状データ２の対応関係の特定が位置特定部１０６によって行われ、この対応関係の特定内容から、形状データ１と形状データ２とが関連付けされる。
【００３５】
圃場の位置特定部１０６は、形状データ１と形状データ２の対応関係に基づき、空撮画像中の圃場の画像と当該圃場の位置データの関係を得、空撮画像中の圃場の位置（地図座標系における位置、例えば経度、緯度、標高）の特定を行う。空撮画像中の圃場の位置が特定されることで、座標データ付きの圃場の画像が得られる。
【００３６】
（処理の一例）
以下、位置特定装置１００で行われる処理の一例を説明する。まず、位置特定装置１００での処理に先立ち、ＧＮＳＳ装置を搭載したトラクターで対象となる圃場の内周縁の部分を走行し、航法衛星を利用した当該圃場の周囲の縁部分の位置データを取得する（図１参照）。ここで得られる位置データは、地図座標系（ＧＮＳＳシステムで得られる座標系）における緯度・経度・標高の座標データである。
【００３７】
上記トラクターによる位置データの検出において、トラクター上におけるＧＮＳＳを用いた位置測定装置の位置と実際のトラクターの車輪（あるいは履帯）の外側の位置との関係は予め求められており、圃場内側の縁に沿って運転をすることで、当該圃場の縁の位置データが取得できる。また、トラクターにカメラを配置し、画像を用いて正確に圃場の縁を走行できるように制御する技術も利用可能である。
【００３８】
また、上記のトラクターを用いた位置計測とは別に、ＵＡＶを用いた当該圃場の撮影を行う（図１参照）。ここでは、対象となる圃場の上空にＵＡＶを飛行させ、対象となる圃場を含む領域を撮影した空撮データを得る。
【００３９】
トラクターを用いた対象となる圃場の位置データ（圃場の縁の位置データ）と、当該圃場の空撮のデータを得たら、位置特定装置１００を用いた図４の処理を行う。図４には、位置特定装置１００で行われる処理の手順の一例が示されている。図４の処理を実行するためのプログラムは、位置特定装置１００の記憶部や適当な記憶媒体、あるいはネットワーク上のサーバ等に記憶され、そこから提供される。これは、図６のフローチャートの場合も同じである。
【００４０】
図４の処理が開始されると、対象となる圃場の縁を走行しつつＧＮＳＳを用いて計測した位置データ（当該圃場の縁の位置データ）を取得する（ステップＳ１０１）。トラクターに装備した位置特定装置（ＧＮＳＳを利用した位置測定装置）のデータは、適当な記憶媒体や通信回線を介して位置測定装置１００に送られる。
【００４１】
次に、ステップＳ１０１で得た位置データに基づき、対象となる圃場の形状データを形状データ１として取得する（ステップＳ１０２）。例えばこの処理では、対象となる圃場の縁（輪郭）部分の経度緯度データから、当該圃場の形状（輪郭の形状）を抽出する。具体的には、当該圃場輪郭の位置データから、当該圃場の中心（重心位置）に鉛直な方向から見た当該圃場の形状のデータを作成する。例えば、当該圃場が正方形であれば、正方形の形状データ１が得られる。なお、トラクターの移動経路の位置データを直接用いる場合は、トラクターの移動経路の位置データに基づき、形状データ１を求める。
【００４２】
次に、ＵＡＶから撮影した空撮データを取得する（ステップＳ１０３）。ＵＡＶのカメラユニットは、電子データの記憶装置（例えば半導体メモリ）を備えており、ここに空撮データが記憶される。ＵＡＶは飛行後に回収され、その後に上記の記憶装置内の空撮データは、適当な記憶媒体や通信回線を介して位置測定装置１００に送られる。
【００４３】
空撮データを得たら、この空撮データから空撮画像に写った圃場の輪郭を検出し、画像に写った範囲における圃場の形状データを形状データ２として得る（ステップＳ１０４）。この処理では、濃淡の差を検出する等の画像中からの特徴点抽出技術を用いて、圃場の縁の部分を抽出し、この縁の部分のデータに基づいて形状データ２を得る。例えば、当該圃場が正方形であれば、正方形の形状データ２が得られる。ここで、空撮画像中に圃場が複数写っている場合、各圃場に対応した複数の形状データ２が得られる。
【００４４】
また、当該写真画像の撮影時におけるＵＡＶの傾き（このデータはＵＡＶ搭載のＩＭＵのデータから得られる）に対応させて上記の形状データ２を鉛直上方から見た形状に変形（修正）してもよい。この処理は、射影変換を利用して行われる。
【００４５】
ステップＳ１０４の後、ステップＳ１０５を実行する。ステップＳ１０５では、形状データ１と形状データ２の対応関係の特定（形状データ１と形状データ２のマッチング）を行う。例えば、形状データ２が一つしかない場合、形状データ２の大きさ変化させ、形状データ２と形状データ１が一致する条件を探索する。この際、予め定めた許容範囲内での形状の一致を探索する。形状の一致が得られない場合、形状データ２を変形し、再度の一致を探索する。許容範囲内での一致が探索できない場合、処理エラーとなる。
【００４６】
形状データ２が複数ある場合（空撮画像中に複数の圃場が写っている場合）、各形状データ２に関して、上述した形状データ１との一致性を探索する。そして、最も一致性の高い形状データ２を形状データ１と対応するものとして選択する。
【００４７】
形状データ１と形状データ２の対応関係を特定したら、空撮データ中の形状データ２に対応する圃場の画像部分のデータ（例えば、画面座標データ）と、形状データ１の地図座標系における座標値を対応させる処理を行う（ステップＳ１０６）。すなわち、当該圃場の空撮画像のデータと当該圃場の外縁部分の地図座標系における位置データ（経度・緯度・標高）の情報を関連付けしたものを得る。
【００４８】
ステップＳ１０６の処理の結果、空撮画像中に写っているここで対象としている圃場の画像データと、その地図座標系における位置データとの対応関係が得られる。つまり、座標情報付きの圃場の空撮画像のデータが得られる。例えば、この画像データでは、画像中の特定の部分の位置情報（経度・緯度・標高）を知ることができる。例えば、このデータを用いることで、当該圃場の空撮画像のオルソ処理を行うことができる。このオルソ処理された空撮画像は、画像中の各画素の座標が特定されており、圃場における農産物の育成状況を調べた育成マップの作成等に利用できる。
【００４９】
（変形例）
トラクターを圃場の縁に沿って走行させない方法も可能である。この場合、例えば、圃場内をトラクターで特定の経路でＧＮＳＳを利用した位置測定を行いながら走行させる。特定の経路としては、直線形状、曲線形状、多角形状、円形状、ジグザグ状、三角波形状、矩形波形状、サイン波形状、渦巻き形状、これらの形状を組み合わせた形状等が挙げられる。この際、トラクターの移動経路の痕跡が圃場に残るようにする。このトラクターの移動経路をＧＮＳＳで測定したものが形状データ１となる。
【００５０】
他方で、ＵＡＶからの空撮画像から、画像認識技術を利用して上記のトラクターの移動経路（轍等の移動した痕跡）を検出する。この画像から検出したトラクターの移動経路の形状が形状データ２となる。後の処理は、図４の処理と同じである。
【００５１】
２．第２の実施形態
図５には、発明を利用した位置特定装置２００が示されている。位置特定装置２００は、画像データ受付部２０１、圃場状態データ記憶部２０２、圃場状態検出部２０３、対応関係特定部２０４、圃場位置特定部２０５を備えている。装置をどう構成するかの考え方は、第１の実施形態の場合と同じである。本実施形態でもカメラを搭載したＵＡＶを用いる。ＵＡＶに関しては、第１の実施形態の場合と同じである。この例では、ＵＡＶに搭載するカメラとして撮影画像の波長スペクトルの情報を取得できるマルチスペクトルカメラやハイパースペクトルカメラを用いる。
【００５２】
画像データ受付部２０１は、図３の画像データ受付部１０１と同じである。圃場状態記憶部２０２は、予め取得された圃場の土壌および植生の状態の少なくとも一方と、それに圃場の位置データを関連付けさせたデータが記憶されている。
【００５３】
圃場状態データ記憶部２０２に記憶されるデータには、圃場の土壌の状態のデータおよび圃場に植えられた農産物の状態データの一方または両方が含まれる。土壌の状態としては、耕しの有無や程度、肥料や水の散布の状態、畝の有無や状態（例えば、畝の間隔）等が挙げられる。農産物の状態としては、農産物の種類、成長状態、色情報、密度等が挙げられる。圃場の状態は、日々の農作業の中で取得され、その情報が圃場状態記憶部２０２に記憶されている。
【００５４】
また、圃場状態データ記憶部２０２は、上記の土壌の状態や農産物の状態と圃場内の位置の関係が記憶されている。例えば、収穫時期を段階的にずらす目的や気候の変動による影響を平均化する目的で、圃場をストライプ状に区切り、成長の度合いをずらして農産物の栽培をする場合がある。この場合、土壌や農産物の状態がバーコードのように、ストライプ状に分布したものとなる。この分布データが圃場状態データ記憶部２０２に記憶される。
【００５５】
図７には、状態の異なる第１の圃場と第２の圃場の例が示されている。農産物が植えられているか否か、更にその育成状態の違いは、見た目で判別出来る。これは、農産物の大きさや葉の色の違い、実の有無や大きさの違いに起因する。この見た目の違いは、第１の圃場と第２の圃場が写った画像の波長スペクトルの違いに現れる。さらに、図７に示すように圃場の植生パターンに違いがあれば、その違いも同様に検出される。さらに、農産物が異なれば、その違いも波長スペクトルの違いから判別できる。
【００５６】
ここでは、波長スペクトルに着目する場合を説明したが、色、質感、模様、粒子の粗さ、模様の密度、模様を構成する色の組み合わせ等のデータに着目することもできる。これらのパラメータは、光学的に取得される圃場の状態を特徴づける表面特徴データである。これらのデータは単独で用いる場合に限定されず、複数を組み合わせて圃場の状態を特徴づけることもできる。
【００５７】
圃場状態データ記憶部２０２に記憶される圃場の状態に係るデータとしては、図７に示すストライプ状に土壌や植生の状態が分布したデータを挙げることができる。この場合、第１の圃場は、状態Ａ，Ｂ，Ｃ，Ｄの組み合わせのデータとして記憶される。また、第２の圃場は、状態Ｄ，Ａ，Ｂ，Ｃの組み合わせのデータとして記憶される。そして、この組み合わせが圃場の固有情報として取り扱われ、画像から圃場を識別する情報として利用できる。また、上記の固有情報として、図７のストライプの幅や間隔の関係を利用することもできる。
【００５８】
圃場状態検出部２０３は、空撮画像の波長スペクトルデータから対象となる圃場の土壌あるいは植生の状態を検出する。例えば、なにもしていない土壌、肥料を施した土壌、耕した土壌等は、見た目の色や画像の粒子感が異なる。この違いは、画像の波長スペクトルの違いとして検出される。また、植えられている農産物の種類や育成の状態が異なれば、その違いは当該農産物の撮影画像の波長スペクトルに現れる。このことを利用し、対象となる圃場における土壌や農産物の種類や育成の状態を検出する。
【００５９】
ここで予め、土壌、各農産物における育成段階ごとの波長スペクトルのデータを取得し、それをリファレンスデータとして適当な記憶部に記憶しておけば、画像解析から得た波長スペクトルデータに基づき、植生の状態を判別できる。なお、波長スペクトルに基づく植生の状態を判別する技術として、ＮＤＶＩデータがある。
【００６０】
対応関係特定部２０４は、圃場状態データ記憶部２０２に記憶された予め取得された圃場の土壌および植生の状態の少なくとも一方のデータと、圃場状態検出部２０３が検出した圃場の土壌および植生の状態の少なくとも一方のデータとの対応関係を求める。
【００６１】
以下、対応関係特定部２０４で行われる処理の一例を説明する。例えば、隣接して図７の第１の圃場と第２の圃場があり、この２つの圃場が空撮画像中に写っている場合を想定する。ここで、実際に圃場の状態およびその位置は、最近のもの（なるべく空撮を行う時点に近い日時のものが好ましい）が調べられており、その情報は図５の圃場状態データ記憶部２０２に記憶されているとする。
【００６２】
ＵＡＶを用いた空撮の時点では、画像に写った圃場の位置情報は不明である。なお、ＵＡＶの飛行ログデータから撮影対象の位置の特定はある程度可能であるが、飛行ログの位置データには誤差が含まれ、また複数の圃場が写っている場合、それぞれの圃場の位置データを飛行ログから特定するのは困難である。
【００６３】
この例では、圃場状態検出部２０３において、空撮画像を解析し、画像中の圃場の状態を検出する。他方で、圃場状態データ記憶部２０２には、各保場の状態が記憶されている。そこで、空撮データから得た圃場の状態と、圃場状態データ記憶部２０２に記憶された保場の状態とを比較して、空撮データ由来の圃場状態のデータと、圃場状態データ記憶部２０２に予め記憶されている圃場状態のデータとの対応関係を求める。この処理が対応関係特定部２０４において行われる。
【００６４】
圃場位置特定部２０５は、圃場状態データ記憶部２０２に記憶された予め取得された圃場の土壌および植生の状態の少なくとも一方のデータおよび圃場状態検出部２０３が検出した圃場の土壌および植生の状態の少なくとも一方のデータとの対応関係から、上空から撮影された圃場の位置を特定する。
【００６５】
すなわち、対応関係特定部２０４での処理により、空撮データ由来の圃場状態のデータと、圃場状態データ記憶部２０２に予め記憶されている圃場状態のデータとの対応関係が求められる。他方で、圃場状態データ記憶部２０２には、予め取得された圃場の状態と圃場の位置情報とが関連付けされて記憶されている。よって、上記の対応関係が求まることで、空撮画像中から画像として検出された圃場の位置（経度・緯度・標高）の情報が得られる。この処理が圃場位置特定部２０５で行われる。画像中の圃場の位置情報が得られることで、座標情報付きの圃場の空撮画像のデータが得られる。
【００６６】
（処理の一例）
図６に位置特定装置２００で行われる処理の手順の一例を示す。処理が開始されると、まず予め取得しておいた圃場の状態と位置情報が、圃場状態データ記憶部２０２から取得される（ステップＳ２０１）。この処理は、画像データ受付部２０１で行われる。次に、ＵＡＶから空撮で得られた画像データが取得される（ステップＳ２０２）。この処理は、圃場状態データ記憶部２０２で行われる。
【００６７】
次に、空撮で得られた画像データから圃場の状態を検出する（ステップＳ２０３）。この処理は、圃場状態検出部２０３で行われる。次に、圃場状態データ記憶部２０２から読み出した圃場の状態と、空撮データから得られた圃場の状態との対応関係を特定する（ステップＳ２０４）。この処理は、対応関係特定部２０４で行われる。そして、対応関係特定部２０４が特定した特定内容に基づき、対象となる圃場の位置を取得する（ステップＳ２０５）。この処理は、圃場位置特定部２０５で行われる。こうして、座標情報付きの圃場の空撮画像のデータが得られる。
【００６８】
３．第３の実施形態
第１の実施形態と第２の実施形態を組みわせた態様も可能である。例えば、第１の実施形態において、同じ形状で同じ寸法の圃場が複数ある場合、形状マッチングでは、候補が複数検出され、一つに絞り込めない場合が有り得る。この場合、第２の実施形態における土壌の情報や植生情報を利用して、画像中の圃場とデータベース上の圃場との対応関係を特定する。
【００６９】
また、第２の実施形態において、予め取得した圃場の状態のデータが古く、空撮画像から得た圃場の状態とのマッチングが上手くいかない場合が有り得る。この場合、第１の実施形態の形状マッチングを併用することで、データ上の圃場と空撮画像から得た圃場の対応関係を求めることができる。
【００７０】
第１の実施形態と第２の実施形態を組みわせた場合、図３と図４のハードウェアの中から必要な機能部を適宜選択し、それらの機能部を備えた位置特定装置を用いる。
【００７１】
４．その他
図３や図５の位置特定装置を対象となる農地から離れた遠隔地に置き、インターネット回線等を用いて必要なデータをそこに送り、そこで図４や図６の処理を行う形態も可能である。
【図１】
2018100930.tif 000003
【図２】
2018100930.tif 000004
【図３】
2018100930.tif 000005
【図４】
2018100930.tif 000006
【図５】
2018100930.tif 000007
【図６】
2018100930.tif 000008
【図７】
2018100930.tif 000009